(57)【要約】  本開示は、動力付き窓用エアフィルタに関する。より具体的には、窓の開口部に使用可能なエアフィルタシステムに関する。いくつかの実施形態は大きさを調整可能なエアフィルタに関する。いくつかの実施形態は、濾材を備えるフィルタアセンブリと、フィルタアセンブリの濾材に強制的に空気を通過させるファン及び／又は制御部を備える。【選択図】図４Ｃ
2017528311.tif 000002
【特許請求の範囲】
【請求項１】
濾材を備えるフィルタアセンブリと、
前記フィルタアセンブリ内の前記濾材に空気を強制的に通過させるファン及び／又は制御部とを備えている、窓用エアフィルタ。
【請求項２】
前記ファン及び／又は前記制御部は、
ハウジングと、
制御モジュールと、
通気孔と、
モータとを備えている、請求項１に記載の窓用エアフィルタ。
【請求項３】
前記ハウジングは、Ｕ字型及び／又はＣ字型のうちの少なくとも一方である、請求項２に記載の窓用エアフィルタ。
【請求項４】
エンドキャップを更に備えている、請求項１〜３のいずれか一項に記載の窓用エアフィルタ。
【請求項５】
前記エンドキャップと前記ファン及び／又は前記制御部との間に内部コネクタを更に備えている、請求項４に記載の窓用エアフィルタ。
【請求項６】
前記内部コネクタは、前記窓用エアフィルタが窓に設置された時に外方向への押力をもたらす、請求項５に記載の窓用エアフィルタ。
【請求項７】
前記内部コネクタは、ばね搭載機構部又は伸縮機構部のうちの少なくとも１つを含む、請求項５又は６に記載の窓用エアフィルタ。
【請求項８】
前記フィルタアセンブリは、可撓性、調整可能、及び／又は延伸可能のうちの少なくとも１つである、請求項１〜７のいずれか一項に記載の窓用エアフィルタ。
【請求項９】
前記濾材は、前記フィルタアセンブリの内部で交換可能である、及び／又は前記フィルタアセンブリが交換可能である、請求項１〜８のいずれか一項に記載の窓用エアフィルタ。
【請求項１０】
前記濾材は、耐湿性、撥水性、静電気帯電性、エレクトレット不織布ウェブ、及び／又は非静電気帯電性のうちの少なくとも１つである、請求項１〜９のいずれか一項に記載の窓用エアフィルタ。
【請求項１１】
前記濾材は、炭素、活性炭、不織布、熱可塑性樹脂、熱硬化性材料、多孔性発泡体、ガラス繊維、紙、高嵩高スパンボンドウェブ、低嵩高スパンボンドウェブ、メルトブローンウェブ、及び／又は二峰性繊維径メルトブローン媒体のうちの少なくとも１つを含む、請求項１〜１０のいずれか一項に記載の窓用エアフィルタ。
【請求項１２】
前記濾材は、プリーツ状である、請求項１〜１１のいずれか一項に記載の窓用エアフィルタ。
【請求項１３】
前記濾材は、自己支持型及び非自己支持型のうちの少なくとも一方である、請求項１〜１２のいずれか一項に記載のエアフィルタ。
【請求項１４】
電子機器を更に含んでいる、請求項１〜１３のいずれか一項に記載の窓用エアフィルタ。
【請求項１５】
固定デバイスを更に備えている、請求項１〜１４のいずれか一項に記載の窓用エアフィルタ。
【請求項１６】
請求項１〜１４のいずれか一項に記載のエアフィルタと、
前記濾材を所望の大きさに切断することができる切断デバイスとを備えているキット。
【請求項１７】
請求項１〜１４のいずれか一項に記載のエアフィルタと、
前記エアフィルタを窓に永久的又は半永久的に取り付けることができる取付デバイスとを備えているキット。
【請求項１８】
前記取付デバイスは、つめ、ネジ、フック、接着剤、及び／又は接着剤付インターロック片のうちの少なくとも１つである、請求項１３に記載のキット。
【発明の詳細な説明】
【技術分野】
【０００１】
本開示は、動力付きエアフィルタに関する。より具体的には、窓の開口部で使用可能な動力付きエアフィルタシステムに関する。
【背景技術】
【０００２】
窓には多種多様な大きさの物があり、建築構造物の屋外と屋内との間で空気の流れを供給する垂直又は水平方向に動作可能なサッシを含み得る。建築構造物の入居者はよく、家、事業所、又はその他の取り囲まれた屋内に新鮮な空気を入れるために窓を開けたいと望む。しかしながら、例えば中国の人口の多い地域などの多くの場所では、外気の方が室内気よりも汚染されている。新鮮な性質の外気を、汚染物質又は汚染物を侵入させることなく取り込む新規のフィルタリングの解決策が求められている。外気の汚染物には、花粉、塵、及びカビ胞子などの大きな粒子、並びにＰＭ２．５、細菌、及びウイルスなどを形成するようなより小さな粒子が含まれ得る。臭気、ＮＯｘ、ＳＯ２、オゾンなどの外気汚染物質及びその他の物もまた、場所によっては懸念材料となり得る。
【発明の概要】
【発明が解決しようとする課題】
【０００３】
本開示の発明者らは、上記の観点から、ユーザを空気質汚染物から守り、窓を介して家の中に新鮮な空気が入るようにし、消費者が容易に設置して使用でき、ほとんどの場所に合うように可変性であり、及び／又は明暗や可視性に最小限の影響を与える動力付きエアフィルタの需要があることを認識した。いくつかの実施形態では、動力付きエアフィルタは窓用エアフィルタである。動力付きエアフィルタには様々な利点があり、少なくともそのうちの１つは、動力無しの（受動的な）エアフィルタよりも、部屋により多くの又はより増加した空気流を提供することである。
【０００４】
本開示の発明者らは、エアフィルタ、エアフィルタの製造方法、及びエアフィルタの使用方法の様々な実施形態を発明した。
【０００５】
いくつかの実施形態は、濾材を備えるフィルタアセンブリと、フィルタアセンブリ内の濾材に空気を強制的に通過させるファン及び／又は制御部と、を備える、窓用エアフィルタに関する。いくつかの実施形態では、ファン及び／又は制御部は、ハウジングと、制御モジュールと、通気孔と、モータと、を備える。
【０００６】
いくつかの実施形態では、ハウジングはＵ字型及び／又はＣ字型の少なくとも１つである。いくつかの実施形態は、エンドキャップを更に備える。いくつかの実施形態では、フィルタアセンブリは、可撓性、調整可能、及び／又は延伸可能のうちの少なくとも１つである。
【０００７】
いくつかの実施形態は、内部コネクタを、エンドキャップとファン及び／又は制御部との間に更に備えている。いくつかの実施形態では、内部コネクタは、窓用エアフィルタが窓に設置される際に外方向への押力を与える。いくつかの実施形態では、内部コネクタは、ばね搭載機構部又は伸縮自在機構部のうちの少なくとも１つを備えている。いくつかの実施形態では、エアフィルタは電子機器を更に備えている。いくつかの実施形態は、固定デバイスを更に備えている。
【０００８】
いくつかの実施形態では、濾材はフィルタアセンブリ内で交換可能である、及び／又はフィルタアセンブリが交換可能である。いくつかの実施形態では、濾材は、耐湿性、撥水性、静電気帯電性、エレクトレット不織布ウェブ、及び／又は静電気非帯電性のうちの少なくとも１つである。いくつかの実施形態では、濾材は、炭素、活性炭、不織布、熱可塑性樹脂、熱硬化性材料、多孔性発泡体、ガラス繊維、紙、高嵩高スパンボンドウェブ、低嵩高スパンボンドウェブ、メルトブローンウェブ、及び／又は二峰性繊維径メルトブローン媒体のうちの少なくとも１つを含む。いくつかの実施形態では、濾材はプリーツ状である。いくつかの実施形態では、濾材は自己支持型と非自己支持型のうちの少なくとも一方である。
【０００９】
いくつかの実施形態は、上記又は本明細書中に記載のエアフィルタと、濾材を所望の大きさに切断することができる切断デバイスとを備えるキットに関する。
【００１０】
いくつかの実施形態は、上記又は本明細書中に記載のエアフィルタと、エアフィルタを窓に永久的又は半永久的に取り付けることが可能な取付デバイスと、を備えるキットに関する。いくつかの実施形態では、取付デバイスは、つめ、ネジ、フック、接着剤、及び／又は接着剤付インターロック片の少なくとも１つである。
【図面の簡単な説明】
【００１１】
【図１】本開示の原理による例示的な動力付き空気清浄機又はフィルタの正面図である。
【図２Ａ】本開示の原理による例示的な動力付き空気清浄機又はフィルタの横断面図である。
【図２Ｂ】本開示の原理による別の例示的な動力付き空気清浄機又はフィルタの横断面図である。
【図３Ａ】図２Ａの窓用空気清浄機の上面図である。
【図３Ｂ】図２Ｂの窓用空気清浄機の上面図である。
【図４Ａ】本開示の原理による、垂直に開く窓に設置される例示的な窓用空気清浄機又はフィルタの斜視図である。
【図４Ｂ】本開示の原理による、垂直に開く窓に設置される例示的な窓用空気清浄機又はフィルタの斜視図である。
【図４Ｃ】本開示の原理による、垂直に開く窓に設置される例示的な窓用空気清浄機又はフィルタの斜視図である。
【図５Ａ】本開示の原理による、水平に開く窓に設置される例示的な窓用空気清浄機又はフィルタの斜視図である。
【図５Ｂ】本開示の原理による、水平に開く窓に設置される例示的な窓用空気清浄機又はフィルタの斜視図である。
【発明を実施するための形態】
【００１２】
様々な実施形態及び履行について詳細に説明する。これらの実施形態は、いかなる場合も本特許出願の範囲を限定する物として解釈されるべきではなく、本実施形態及び実装の趣旨及び範囲から逸脱せずに、変更及び修正を行うことができる。例えば、実施形態、実施、及び実施例の多くは窓用エアフィルタを具体的に参照して説明されているが、これは本特許出願の適用範囲をこの１つの代表的な実施に限定する物と解釈されるべきではない。更に、いくつかの最終用途のみを本明細書で説明しているが、本明細書に記述されていない最終用途も本特許出願の範囲内に含まれる。したがって、本特許出願の範囲は、その請求項によって決定されるべきではない。
【００１３】
本開示の原理に従う空気清浄機又はフィルタ２０の一例示的な実施形態が図１に示されている。いくつかの実施形態では、空気清浄機又はフィルタは窓に使用することができる。図１の空気清浄機２０は、ファン／制御部２２と、フィルタアセンブリ２４と、エンドキャップ２６とを備えている。一般的に、空気清浄機２０は窓に嵌め込むことができ、そこで外気からの不純物をフィルタリングし、空気清浄機からその空気が排出される時に、より清潔にすることで、人々に屋内でより清潔な空気を呼吸させることができる。いくつかの実施形態では、ファン２２は、フィルタアセンブリ２４を介して空気を引き込み、屋内環境に清潔にされた空気を排出する薄型ファンであり得る。いくつかの実施形態では、薄型設計は、窓領域の大きな部分を遮断することなく、精製された外気を屋内に届ける。いくつかの実施形態では、薄型窓用空気清浄機２０を窓台に設置する、窓台を横断して間隙全体を埋める、及び／又は窓枠とサッシに自己密閉構成を提供することができる。いくつかの実施形態では、窓用空気清浄機２０は、水平又は垂直に摺動する複数部分を有する窓に採用可能である。
【００１４】
いくつかの実施形態では、ファン／制御部２２は、ハウジング４０と、制御モジュール４２と、通気孔４４と、プラグ４６と、モータ４８とを含む。いくつかの実施形態では、ファン／制御部２２及びエンドキャップ２６は、窓構造の表面に、より改善した空気シール及びグリップを提供するためのガスケット又は他の柔軟若しくはゴム状の材料を含んでもよいが、剛構造である。いくつかの実施形態では、フィルタアセンブリ２４は、材料の選択、濾材２８の形状、又は両方に起因して、本質的に可撓性である。いくつかの実施形態では、フィルタアセンブリ２４は、以下により詳細に記載するように、細長であり、長さが調整可能なアセンブリである。いくつかの実施形態では、内部コネクタ３０は、ファン／制御部２２とエンドキャップ２６との間を延びるように含められてもよい。いくつかの実施形態では、コネクタ３０は、ファン／制御部２２とエンドキャップ２６との間で長手方向に調整可能である。いくつかの実施形態では、コネクタ３０は、窓用空気清浄機２０に対して構造上の支持をもたらすことができ、及び使用中、特に圧縮強度をもたらすことにより、窓用空気清浄機２０の寸法上の一体性を維持する助けとなり得る。いくつかの実施形態では、コネクタ３０は、ばね搭載の伸縮自在の機構部を用いてもよく、これらは窓用空気清浄機２０が窓に設置されている時に外方向への一定の押力をもたらし得る。いくつかの実施形態では、外方向への押力は、様々な状況において、窓用空気清浄機２０が設置され続けるのを助け得る。
【００１５】
いくつかの実施形態では、エアフィルタ及び／又はファン／制御部は、一般的に知られる種類の電子機器を備える。本明細書中に記載されるエアフィルタ内にて使用可能ないくつかの例示的な電子機器には、例えば、温度センサ、湿度センサ、微粒子状物質（例えば、ＰＭ２．５）センサ、揮発性有機化合物センサ、他のガスセンサ又は汚染物質（例えば、オゾンなど）センサが挙げられる。いくつかの実施形態では、搭載された電子制御は、エアフィルタ及び／若しくはファンをオンにしたりオフにしたりすることができ、並びに／又はこれらのセンサのいずれかからの入力に基づいてファン速度を調整してもよい。いくつかの実施形態は、製品が遠隔監視又は制御できるように、追加的に又は代替的に無線通信（例えば、ｗｉ−ｆｉ）を含み得る。いくつかの実施形態では、エアフィルタは他のデバイスと相互作用し得る。一例示的な実施形態では、エアフィルタはユーザのスマートフォンと通信してもよい。別の例示的な実施形態では、エアフィルタは他のソースからデータを取り込むかデータにアクセスしてもよい（例えば、局地空気質計測データを取得し、受信したデータに基づいて動作を変更する）。
【００１６】
図１の窓用空気清浄機２０は、様々なフィルタアセンブリを含むことができる。いくつかの実施形態では、濾材２８は窓の外の「汚い」空気に露出され、及び窓の内側の空気を密封している。図３Ａ及び図３Ｂを更に参照すると、いくつかの実施形態では、空気は、窓の外から入り、濾材２８を通過し、ファン／制御部２２内に流れ込み、及び通気孔４４を通って室内に流れ込む。図２Ａ及び図２Ｂに示すように、いくつかの実施形態では、濾材２８ａ、２８ｂは平坦なシートとして形成可能である。いくつかの実施形態では、濾材２８ａ、２８ｂは、フィルタアセンブリ２４の長さ全体に亘って延伸可能である。いくつかの実施形態では、濾材２８は交換可能である。いくつかの実施形態では、フィルタアセンブリ２４全体は、単一の交換可能ユニットとして販売されている。いくつかの実施形態では、フィルタアセンブリ２４の濾材２８のみが交換可能なアイテムとして販売され、フィルタハウジング３２は永久的な物として考えられる。
【００１７】
図２Ａ及び図２Ｂを参照すると、いくつかの実施形態では、フィルタアセンブリ２４は、フィルタハウジング３２を備えている。いくつかの実施形態では、フィルタハウジング３２は、その断面がＣ字型又はＵ字型であり得る。いくつかの実施形態では、その形状は、フィルタハウジング３２によって形成される内部開放空洞とともに、フィルタアセンブリ２４にいくらかの可撓性をもたらす。いくつかの実施形態では、フィルタハウジング３２は、例えば、プラスチックから作られ得る。やや厚いプラスチック製の、Ｃ字型又はＵ字型形状にあるフィルタハウジング３２でさえ、いくらかの可撓性をもたらす。いくつかの実施形態では、フィルタハウジング３２の可撓性は、フィルタが窓サッシと窓枠に使用中に挟持される時に、フィルタアセンブリ２４により窓「Ｗ」を塞ぐのに有用であり得る。いくつかの実施形態では、フィルタハウジング３２は、外側カバー３４及び内側シェル３６を備え得る。いくつかの実施形態では、可撓性はまた、フィルタアセンブリ２４の材料の選択により付与されてもよい。例えば、厚い（例えば、５〜２５ｍｍ）発泡ポリエチレンフォームの使用、又は他のガスケット若しくは隙間塞ぎの組み込みが使用され得る。いくつかの実施形態では、外側シェル３４は剛性であっても非剛性であってもよい。
【００１８】
いくつかの実施形態では、窓用空気清浄機２０のために選択された特定の濾材２８は、本明細書中に記載される特定の所望の特性を有するように特に適合されてもよい。いくつかの実施形態では、濾材２８は耐湿性材料から構成されるのが好ましく、雨などの水を特に遮断するかはじく、追加の層又は機構部を任意選択的に備えてもよい。いくつかの実施形態では、濾材２８の材料に静電荷が任意選択的に付与される。多くのグレードが入手可能であり、その多くが低圧力降下における高効率性を提供する静電気帯電媒体２８を用いてもよい。いくつかの実施形態では、濾材２８はエレクトレット不織布ウェブであり得る。静電荷は、例えば、ハイドロチャージ、コロナ帯電など、従来周知の多種多様な方法で濾材２８に付与することができる（例えば、米国特許第７，９４７，１４２号（上記）に記載されるように）。他の実施形態では、濾材２８は静電気帯電していない。活性炭又は気相汚染物質を精製する他の材料を組み入れる追加の多機能媒体グレードもまた、フィルタ構造に組み入れられてもよい。
【００１９】
図２Ａ及び図３Ａは、不織布ウェブ媒体を含む濾材２８ａの一例示的な実施形態を示す。いくつかの実施形態では、濾材２８ａは、例えば、ポリプロピレン、直鎖状ポリエチレン、及びポリ塩化ビニルなどの熱可塑性樹脂又は熱硬化性材料から形成される不織布繊維媒体から構成することができる。他の濾材に好適な非限定的な材料としては、多孔性発泡体、不織布、紙、ガラス繊維などが挙げられる。いくつかの実施形態では、濾材２８は、塵、花粉及びカビ胞子などのアレルゲン、並びに外気からの微粒子汚染物質を引き付け、捕集する濾材を備える。
【００２０】
いくつかの実施形態では、濾材２８ａに有用な他の不織布ウェブは、例えば、その全教示が参照により本明細書に援用される、Ｆｏｘらの米国特許第８，１６２，１５３号に記載されるような高嵩高スパンボンドウェブであってもよい。他の実施形態では、濾材２８ａは、例えば、その全教示が参照により本明細書に援用される、米国特許第７，９４７，１４２号に記載されるような低嵩高スパンボンドウェブであってもよい。更なる他の実施形態では、濾材２８ａに有用な不織布ウェブは、その全教示が本明細書に援用されるＳｈａｈらの米国特許第６，８５８，２９７号に開示されるメルトブローン不織布ウェブのように、他の技術によって作製され、及び／又は他の特性を有する。有用な不織布ウェブの構成の他の非限定的な例としては、その全教示が参照により本明細書に援用される、米国特許第７，８５８，１６３号に記載される物などの、二峰性の繊維径メルトブローン媒体が挙げられる。
【００２１】
いくつかの実施形態では、濾材２８は、あるいは、図２Ｂ及び図３Ｂに示すように、概ね平行であり、対向する折り目の列を備える構造を形成するように折られた少なくとも一部分を含むプリーツ状の濾材２８ｂであってもよい。いくつかの実施形態では、従来周知の様々な方法や構成部品を用いて、例えば、それらの全教示が本明細書に参照によって援用される、Ｋｕｂｏｋａｗａらの米国特許第６，７４０，１３７号及びＳｕｎｄｅｔらの米国特許第７，６２２，０６３号の物のような空気濾過などの用途で用いるためのプリーツ状フィルタを形成するように、プリーツを濾材２８ｂ内に形成することができる。図２Ｂ及び図３Ｂは例示的なプリーツ状の濾材２８ｂを示す。一実施形態では、プリーツ状の濾材２８ｂは、図３Ｂに示すように、フィルタアセンブリ２４に沿って部分的にのみ延伸する。いくつかの実施形態では、プリーツ状の濾材２８ｂは、フィルタアセンブリ２４の長さ全体に適合するように直線状に切断するのが難しい場合がある。いくつかの実施形態では、フィルタアセンブリ２４は濾材２８ｂが終了する地点で密封されてもよく、（本質的にデッドスペースとなる）残りのフィルタアセンブリ２４の長さは、設置のための所望の長さに切断されてもよい。
【００２２】
いくつかの実施形態では、濾材２８は濾材若しくはウェブのみからなることができ、又は濾材２８に適用される又は組み立てられる１つ以上の追加の構成部品を備えることができる。アセンブリ２４の濾材２８は、自己支持型又は非自己支持型であってもよい。濾材アセンブリ２８が濾材又はウェブと支持構造とからなる場合、濾材２８は非自己支持型であり、追加の支持構造を有して濾材２８となり、その全体として自己支持型とされてもよい。本明細書中に用いる時、用語「自己支持型濾材又はウェブ」は、以下の状態の少なくとも１つを表すことができる：（１）濾材ウェブにおいて、硬化層、接着剤、又は他の補強を必要とせずに変形耐性を有する濾材又はウェブ、あるいは（２）濾材は、例えば、その全教示が本明細書に参照によって援用される、Ｋｕｂｏｋａｗａの米国特許第７，１６９，２０２号に記載するような気流を受けた時に概ね形状を維持する、あるいは（３）充分な粘調度及び強度を有し、実質的に破けたり破損したりすることなく、ひだを作りやすく、及び取り扱いやすいウェブ又は媒体。本明細書中に用いる時、用語「非自己支持」は、支持フレーム及び／又は支持グリル無しでは、典型的な気流によって受ける力に耐えることができないエアフィルタ媒体を表し得る。
【００２３】
いくつかの実施形態では、本窓用空気清浄機又はフィルタ２０は、外気質汚染物からユーザを守るのに有用である。上述のように、静電気帯電された濾材２８を用いてもよい。活性炭又は気相汚染物質を精製する他の材料を組み入れる追加の多機能媒体グレードもまた、フィルタアセンブリ２４に組み入れられてもよい。動力付きファンユニット２２を使用することで、いかなる動力無しの（受動的な）窓用フィルタよりも、より多くの気流を提供する。また、緩やかな風の状態下で開けられた窓よりも多くの気流を提供する。静電気帯電によって可能になった低圧力降下ウェブを更に用いることで、更なる気流の向上、及びファンの電力消費の低減が可能にする。
【００２４】
図４Ａ〜図４Ｃは、垂直に開く窓８０への窓用空気清浄機又はフィルタ２０の例示的な設置プロセスを示す。まず、濾材２８は、ナイフ、強力はさみ、又は同様の物などの切断用具８２を用いて、長さが調節される。エンドキャップ２６の取り付け部は、非直線での切断部に対して余裕があるため、切断部は完全にまっすぐでなくてもよい。濾材２８は、ファン／制御部２２とエンドキャップ２６との間でフィルタアセンブリ２４に取り付けられて、次に窓用空気清浄機２０全体は、部分的に開いている窓に配置される。垂直なスライド窓８０については、図４Ａ〜図４Ｃに示すように、窓用空気清浄機２０は下部敷居に配置される。
【００２５】
水平に摺動する窓１８０では、図５Ａ〜図５Ｂに示すように、窓用空気清浄機２０は、ファンハウジング３０を下側にして垂直な向きで配置される。いくつかの実施形態では、内部ロッド又はばね搭載製品３０（例えば、図１を参照）からの押力は、いずれの向きの窓枠にも保持力を与える。窓は、窓用空気清浄機２０までしっかり閉められ、窓サッシと窓用空気清浄機２０との間の接点は、屋外から屋内への漏れを生じさせるいかなる空隙をも閉じるシールを提供する。いくつかの実施形態では、残る小さな隙間は発泡体の片、隙間塞ぎ等を用いて回避することができる。それに加えて、結束ストラップ又はその他の構成部品（図示せず）を任意選択的に含む及び取り付けることで、窓用空気清浄機２０は窓８０、１８０の開口部から外れて落ちることを回避されてもよい。
【００２６】
いくつかの実施形態では、本開示のエアフィルタは、エアフィルタが窓から落ちないことを確実にする固定デバイスを含む。固定デバイスは、例えば、エアフィルタを、建物、部屋、家、又は事務所の、壁又はその他の永久的構造若しくは安定構造に接続するストラップを含む任意の周知のデバイスであり得る。固定デバイスは任意選択的であり、及びこの改善された安全機構部により有利となるいくつかの実施形態において存在する。例えば、米国では、窓用エアフィルタのユーザのほとんどが戸建て住宅に住んでいる。ほとんどの場合、窓用エアフィルタが窓から落ちると茂みの中に落ちる可能性が高く、誰かを傷つけることは非常に考えにくい。対照的に、都市環境又は例えば中国などの人口の多い国々では、多くの人々が高層マンションに住む。窓用エアフィルタが窓から落ちると、この問題はより重大になり得る。いくつかの場合では、窓用エアフィルタは人や所有物を傷つける可能性がある。
【００２７】
本開示のエアフィルタは、任意の所望する枠又はハウジングに配置可能である。いくつかの例示的な枠は、例えば、共にその全体が参照により本明細書に援用される、米国特許出願第６２／０４１４９６号及び同第６１／０４１４９９号に記載されている。エアフィルタ媒体は、例えば、その全体が本明細書に援用される米国特許出願第６２／０４１５００号に記載される物のように、ロール形態で提供されてもよい。米国特許第６２／２０６，９２８号のエアフィルタアセンブリ又は媒体を、本開示のエアフィルタに用いることができる。
【００２８】
詳細な説明及び特許請求の範囲における第１、第２、第３などの用語は、類似要素の間の区別に使用される物であり、必ずしも順序又は年代順の記述に使用されない。そのように使用される用語は、適切な環境下では互換的であること、及び本明細書に記載の本発明の実施形態は本明細書に記載以外の順序で操作可能であるということが理解されるべきである。
【００２９】
本明細書において言及される参考文献は全て、参照により全体が組み込まれる。
【００３０】
更に、詳細な説明及び特許請求の範囲における頂部、底部、上、下などの用語は説明の目的で使用される物であり、必ずしも相対的な位置の記述に使用されない。そのように使用される用語は、適切な環境下では互換的であること、及び本明細書に記載の本発明の実施形態は本明細書に記載以外の配向で操作され得るということが理解されるべきである。
【００３１】
端点による数値範囲全体の記載は、その範囲内に含まれる全ての数を含む物とする（すなわち、１〜１０の範囲には、例えば、１、１．５、３．３３、及び１０が含まれる）。
【００３２】
上記の実施形態及び実施例の詳細には、本発明の基礎をなす原理から逸脱することなく多くの変更を加えることができる点は当業者に認識されるであろう。更に、本発明の様々な改良及び変更が本発明の趣旨及び範囲から逸脱せずに実施できることは、当業者には明らかであろう。したがって、本願の範囲は、以下の「特許請求の範囲」及びそれと等価な物によってのみ定められるべきである。
【図１】
2017528311.tif 000003
【図２Ａ】
2017528311.tif 000004
【図２Ｂ】
2017528311.tif 000005
【図３Ａ】
2017528311.tif 000006
【図３Ｂ】
2017528311.tif 000007
【図４Ａ】
2017528311.tif 000008
【図４Ｂ】
2017528311.tif 000009
【図４Ｃ】
2017528311.tif 000010
【図５Ａ】
2017528311.tif 000011
【図５Ｂ】
2017528311.tif 000012
【国際調査報告】
2017528311.tif 000013
2017528311.tif 000014